(57)【要約】【課題】原稿の読み取り時に不具合のある原稿を容易に特定することができる画像読取装置を提供することにある。【解決手段】画像読取装置は、原稿を読み取る第１走査部２０１と、第１走査部２０１に対する原稿読み取り指示を入力すると共に第１走査部２０１で読み取られた画像データを表示する操作表示部３０３と、第１走査部２０１で読み取られた原稿のうち不良原稿を検知し、当該検知された不良原稿が何枚目の原稿であるかを操作表示部３０３に表示させる制御部２１２とを備える。【選択図】図１
2007181116.tif 000002
【特許請求の範囲】
【請求項１】
原稿を読み取る原稿読取手段と、
前記原稿読取手段に対する原稿読み取り指示を入力すると共に前記原稿読取手段で読み取られた画像データを表示する操作表示手段と、
前記原稿読取手段で読み取られた原稿のうち不良原稿を検知する不良原稿検知手段と、
前記不良原稿検知手段で検知された不良原稿が何枚目の原稿であるかを前記操作表示手段に表示させる制御手段とを備えることを特徴とする画像読取装置。
【請求項２】
前記制御手段は、前記不良原稿検知手段で検知された不良原稿に対応する画像データを前記操作表示手段に表示させることを特徴とする請求項１記載の画像読取装置。
【請求項３】
前記不良原稿検知手段は、前記原稿読取手段で読み取られた原稿の折れ又は破損の検知、前記原稿読取手段で読み取られた原稿の傾きの検知の少なくともいずれか一方を実行することを特徴とする請求項１又は２記載の画像読取装置。
【請求項４】
原稿の読み取り指示を入力すると共に画像データを表示する操作表示手段を備える画像形成装置の制御方法であって、
原稿を読み取る原稿読取工程と、
前記原稿読取工程で読み取られた原稿のうち不良原稿を検知する不良原稿検知工程と、
前記不良原稿検知工程で検知された不良原稿が何枚目の原稿であるかを前記操作表示手段に表示させる制御工程とを備えることを特徴とする画像読取装置の制御方法。
【請求項５】
画像読取装置を
原稿を読み取る原稿読取手段と、
前記原稿読取手段に対する原稿読み取り指示を入力すると共に前記原稿読取手段で読み取られた画像データを表示する操作表示手段と、
前記原稿読取手段で読み取られた原稿のうち不良原稿を検知する不良原稿検知手段と、
前記不良原稿検知手段で検知された不良原稿が何枚目の原稿であるかを前記操作表示手段に表示させる制御手段と
して機能させることを特徴とする制御プログラム。
【発明の詳細な説明】
【技術分野】
【０００１】
本発明は、原稿の画像を電子データに変換する画像読取装置、当該装置の制御方法及び制御プログラムに関する。
【背景技術】
【０００２】
従来の画像読取装置では、紙文書（原稿）を電子データとして保管するために、画像読取装置で原稿の画像情報を読み取り、電子データに変換して保管している。ところが、折れ、破損等のある不良原稿を読み取った場合に、操作者がそれに気づかずに、欠落した画像情報を保管してしまっていた。また、不良原稿を転写紙にコピーした場合には、転写紙が無駄になってしまっていた。
【０００３】
そこで、原稿の折れを検知して、検知結果に応じて、原稿の折れの警告を表示することで、欠落した画像情報が電子データとしてファイルされたり、コピーされたりしないようにする技術が提案されている（特許文献１参照）。
【０００４】
また、近年ｅ―文書法制定にあたり、大量の原稿の紙画像情報が、電子データに変換され、保管される機会が増加することが想定されている。このｅ―文書法によれば、電子データが公式文書として法的に有効になるので、より忠実に紙文書を電子データに変換する必要性が高まっている。
【特許文献１】特公平５−５３２５３号公報
【発明の開示】
【発明が解決しようとする課題】
【０００５】
しかしながら、上記特許文献１の技術では、原稿を読み取るときに、読取画像の不具合発生の警告を表示していただけなので、大量の原稿を自動で一枚ずつ画像情報として読み取るような場合に、不具合が発生した原稿を特定するのに、全ての原稿を確認しなければならず、非常に非効率な作業が発生していた。
【０００６】
本発明の目的は、原稿の読み取り時に不具合のある原稿を容易に特定することができる画像読取装置、当該装置の制御方法及び制御プログラムを提供することにある。
【課題を解決するための手段】
【０００７】
上記目的を達成するため、請求項１の画像読取装置は、原稿を読み取る原稿読取手段と、前記原稿読取手段に対する原稿読み取り指示を入力すると共に前記原稿読取手段で読み取られた画像データを表示する操作表示手段と、前記原稿読取手段で読み取られた原稿のうち不良原稿を検知する不良原稿検知手段と、前記異常原稿検知手段で検知された不良原稿が何枚目の原稿であるかを前記操作表示手段に表示させる制御手段とを備えることを特徴とする。
【０００８】
請求項４の画像読取装置の制御方法及び請求項５の制御プログラムは、請求項１の画像読取装置と同様の動作を画像読取装置に実行させることを特徴とする。
【発明の効果】
【０００９】
本願発明によれば、検知された不良原稿が何枚目の原稿であるかが操作表示手段に表示されるので、原稿の読み取り時に不具合のある原稿を容易に特定することができる。
【発明を実施するための最良の形態】
【００１０】
以下、本発明の実施の形態について図面を参照しながら説明する。
【００１１】
図１は、本発明の実施の形態に係る画像読取装置の概略構成を示す断面図である。
【００１２】
本発明の実施の形態に係る画像読取装置は、原稿処理部１及び画像読取部２によって構成されている。
【００１３】
画像読取部２は、固定原稿台ガラス２１１及び搬送原稿台ガラス２０２を備えている。画像読取部２は、光源２０３及び第１ミラー２０５が取り付けられた第１走査部２０１と、第２，３ミラー２０６，２０７が取り付けられた第２走査部２０４と、レンズ２０８と、画像読取手段であるＣＣＤ素子２０９とを備えている。固定原稿台ガラス２１１又は搬送原稿台ガラス２０２上の原稿３の画像は、光源２０３で照明され、第１，２，３ミラー２０５，２０６，２０７で光路を折り曲げられながらレンズ２０８でＣＣＤ素子２０９上に結像して、光電変換されることで読み取られる。第１走査部２０１及び第２走査部２０４は、図示しない駆動手段により２対１の速度比で移動されるので、固定原稿台ガラス２１１及び搬送原稿台ガラス２０２上に載置された原稿４からＣＣＤ素子２０９までの物像間は一定に保たれる。
【００１４】
原稿処理部１は、画像読取部２で画像を読み取られる原稿３を搬送する装置である。原稿トレイ１０１に複数枚セットされた原稿３を、ピックアップローラ１０２及び分離・給紙ローラ対１０３は、１枚ずつ分離して給送する。給送された原稿３は搬送ローラ対１０４，１０５，１０６により搬送された後、搬送原稿台ガラス２０２とプラテン白板１０７の間を通る。そして、原稿３はフラッパ１０８経て、搬送ローラ対１０９，１１０により装置外へ排出される。原稿３の画像は、搬送原稿台ガラス上のＢの位置を通過するときに読み取られる。
【００１５】
原稿処理部１により搬送される原稿３を読み取る場合には、画像読取部２がＢの位置を読み取るように、第１，２走査部２０１，２０４を図１に示した位置に固定する。また、固定原稿台ガラス２１１上に載置された原稿を読み取る場合には、第１，２走査部２０１，２０４を移動走査することで読み取る。ＣＣＤ素子２０９で読み込まれた画像情報は、画像処理部２１０に伝送されて、特公平５−５３２５３に記載されているような方法で、制御部２１２は原稿の折れ、破損のある不良原稿として判定する。制御部２１２は、画像読取装置全体を制御するＣＰＵと、ワークエリアとして機能するＲＡＭと、ＣＰＵに実行される制御プログラムを格納すると共に読み取った画像を保存するＲＯＭ（不揮発性のＲＯＭ）とを備えている。操作表示部３０３は、制御部２１２に接続されており、原稿の読み取り指示を入力し、読み取った原稿の画像データ等を表示する。
【００１６】
制御部２１２は、折れ、破損がある不良原稿として判定した場合、図２に示すように、操作表示部３０３に何枚目の原稿に不良があったかを表示する。この図では、７枚目と１３枚目の原稿に不良があったことを示している。
【００１７】
図３は、原稿を読み取り、不良原稿を表示するまでの処理を示すフローチャートである。
【００１８】
まず、原稿処理部１の原稿トレイ１０１に原稿がセットされ（ステップＳ３０１）、画像読取り動作の開始指示が入力されると（ステップＳ３０２）、制御部２１２のＲＯＭにに記憶されているカウンタ値を消去する（ステップＳ３０３）。その後、カウンタ値を１インクリメントし（ステップＳ３０４）、原稿３が一枚づつ分離されて搬送されて（ステップＳ３０５）、原稿が読み取られ（ステップＳ３０６）、その画像データが制御２１２のＲＯＭに保存される（ステップＳ３０７）。
【００１９】
次いで、制御部２１２は、ステップＳ３０７で保存された画像データに基づいて原稿に折れ、破損があるか否かを判別する（ステップＳ３０８）。原稿に折れ、破損がある場合には、そのときのカウンタ値が制御部２１２のＲＯＭに記憶される（ステップＳ３０９）、ステップＳ３１０に進む。原稿に折れ、破損がない場合には、ステップＳ３１０に進む。
【００２０】
ステップＳ３１０では、制御部２１２が次に読み取る原稿があるか否かを判別する。次に読み取る原稿がある場合には、カウンタ値を１インクリメントし（ステップＳ３１１）、ステップＳ３０５に戻る。次に読み取る原稿がない場合には、制御部２１２がステップＳ３０９で記録されたカウンタ値があるか否かを判別する（ステップＳ３１２）。
【００２１】
ステップＳ３１２の判別の結果、カウンタ値が記憶されていない場合には、本処理を終了する。一方、カウンタ値が記憶されている場合には、制御部２１２は図２に示すように「不良原稿」の文字及び記憶されたカウンタ値を操作表示部３０３に表示して（ステップＳ３１３）、本処理を終了する。
【００２２】
以上詳細に説明したように、本実施の形態によれば、検知された不良原稿が何枚目の原稿であるかが操作表示手部に表示されるので、原稿の読み取り時に不具合のある原稿を容易に特定することができる。これにより、不具合のある原稿を電子データとして保管することがなくなる。
【００２３】
上記図３の処理では、複数枚の原稿を自動的に交換する原稿処理装置について説明したが、操作者が一枚ずつ原稿を交換して画像を読取る場合でも、何枚目の原稿で読取り不良が発生したかを表示すれば、上記と同様の効果を得ることができる。
【００２４】
上記実施の形態では、制御部２１２が原稿の傾きを検知する傾き検知部を備えるように構成し、原稿の傾きが所定の傾度を超えたこと検知した場合に、不良原稿として読み取られた画像を操作表示部３０３に表示するようにしてもよい。原稿の傾きを検知する傾き検知部は、読み取られた画像の４隅の座標と、予め登録されている座標データとを比較することにより、読み取られた画像の傾きを検出する。
【００２５】
また、上記実施の形態では、原稿に折れ、破損がある場合に、制御部２１２が図２に示すように「不良原稿」の文字及び記憶されたカウンタ値を操作表示部３０３に表示したが（ステップＳ３１３）、原稿の読取画像データ３０４を図４に示すように操作表示部３０３に表示してもよい。これにより、原稿の読み取り時に不具合のある原稿を操作者が容易に確認することができ、その画像データの認否を容易に確認することができる。また、原稿の読取画像データ３０４、「不良原稿」の文字及び記憶されたカウンタ値を同時に操作表示部３０３に表示させてもよい。
【００２６】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００２７】
この場合、記憶媒体から読み出されたプログラムコード自体が前述した各実施の形態の機能を実現することになり、そのプログラムコード及び該プログラムコードを記憶した記憶媒体は本発明を構成することになる。
【００２８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００２９】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００３０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００３１】
【図１】本発明の実施の形態に係る画像読取装置の概略構成を示す断面図である。
【図２】何枚目の原稿に不良があったかを表示する操作表示部の一例を示す図である。
【図３】原稿を読み取り、不良原稿を表示するまでの処理を示すフローチャートである。
【図４】不良原稿を表示する操作表示部の一例を示す図である。
【符号の説明】
【００３２】
１  原稿処理部
２  画像読取部
１０１  原稿トレイ
１０２  ピックアップローラ
１０３  分離・給紙ローラ対
１０４，１０５，１０６，１０９，１１０  搬送ローラ対
１０７  プラテン白板
１０８  フラッパ
２０１  第１走査部
２０２  搬送原稿台ガラス
２０３  光源
２０４  第２走査部
２０５  第１ミラー
２０６  第２ミラー
２０７  第３ミラー
２０８  レンズ
２０９  ＣＣＤ素子
２１０  画像処理部
２１１  固定原稿台ガラス
２１２  制御部
３０３  操作表示部
【図１】
2007181116.tif 000003
【図２】
2007181116.tif 000004
【図３】
2007181116.tif 000005
【図４】
2007181116.tif 000006